(57)【要約】      （修正有）【課題】シャフトとシャフトとのスライドがスムーズに行われないことが多々発生する問題を解決する、長さを調節自在な杖の提供。【解決手段】挿入する方のシャフト上方にラチェット係止ピンを備え、且つ下方にピン孔を有し、上方先端に備えられる端末プラグは、複数の片で略円状を呈して形成され、この片と片との間は切り込み部の如く間隔をもって成り、該片の一片に適宜幅で略平坦状部を設け、該片を、このシャフトの平坦状面の延長同線上に配してシャフトと一体的に取付けられたことを特徴とし、且つ、挿入する方、される方、両方のシャフト下方端部に設けられる略円形を呈するリングは、適宜幅の平坦状面を設け、該面をシャフトの長手方向に設けられた平坦状面の延長同線上に配してシャフトと一体的に取付ける。【選択図】図３
0003125011.tif 000002
【実用新案登録請求の範囲】
【請求項１】
複数の異径パイプを、その径の大きさ順に遊嵌状態で挿嵌自在に挿入され、ラチェット機構を用いて一定間隔おきに多段階にその長さを調節できる長さ調節自在な杖において、
挿入する方のシャフト上方部にはラチェット係止ピンを、下方部にはピン孔を有し、上方先端に備えられる端末プラグは、複数の片で略円状を呈して形成され、この片と片との間は切り込み部の如く間隔をもって成り、該片の内、一片に適宜幅で略平坦状面を設け、且つ該片を、このシャフトの長手方向全長に設けられた平坦状面の延長線上に配されて、シャフトと一体的に取付けられたことを特徴とする長さ調節自在な杖。
【請求項２】
挿入する方、される方、両方のシャフト下方端部に設けられる略円形を呈するリングに、適宜幅の平坦状面を設け、該面をシャフトの長手方向に設けられた平坦状面の延長上に配されて、このシャフトと一体的に取付けられたことを特徴とする請求項１記載の長さ調節自在な杖。
【請求項３】
挿入する方のシャフト先端に備えられる端末プラグを形成する片は、耐摩耗性に優れ、且つ適宜な弾力性を有するとともに、耐寒性をも併せ持つ合成樹脂で成形されたことを特徴とする請求項１記載の長さ調節自在な杖。
【考案の詳細な説明】
【技術分野】
【０００１】  本考案は、主としてハイキングなどに使用されるほか、リハビリ用補助等にも使用される長さが調節自在な杖に関するものである。
【背景技術】
【０００２】  詳細に開示され、一般に用いられているこの種の杖の長さ調節機構は、例えば、実用新案登録第３０５１６７２号に見られるような、一定間隔おきに多段階にその長さを調節できるものと、無段階に長さを調節できる実用新案登録第３０５１６７２号のようなものとがある。【０００３】  本考案はその内、前者の一定間隔おきに多段階にその長さを調節できる杖に関するものである。この種の長さ調節機構は、ラチェット機構や段差のある係止溝を用いて行うものであるため、中シャフトと外シャフトのように、異径のシャフトを要所地点で合致させる必要がある。しかしながら、例えば手袋を使用しているとき、雨でシャフトが濡れているときなどシャフトが回ってしまい、なかなかスムーズに調節できないことがしばしばであった。
そこで出願人は、先に実用新案登録第３０５３８２６号を考案しその解決を図った経緯がある。この考案で前記欠点は見事に解決された。がしかし、異径の中シャフトと外シャフトとのスライドがスムーズに行かないことが多々発生する新たな問題が生じている。
【考案の開示】
【考案が解決しようとする課題】
【０００４】  出願人の前記考案によって、一定間隔おきに多段階にその長さを調節できる杖の使い勝手は従来品に比し著しく向上した。が、所謂、中シャフトと外シャフトとのスライドがスムーズに行かないことが多々発生すると言う新たな問題の解消を図ることが求められて来た。
そこで、本考案では、係る問題を解決しようとするものである。
【課題を解決するための手段】
【０００５】  上記目的を達成するため本考案は、複数の異径パイプを、その径の大きさ順に遊嵌状態で挿嵌自在に挿入され、ラチェット機構を用いて一定間隔おきに多段階にその長さを調節できる長さ調節自在な杖において、
挿入する方のシャフト上方部にはラチェット係止ピンを備え、且つ下方部にはピン孔を有し、上方先端に備えられる端末プラグは、複数の片で略円状を呈して形成され、この片と片との間は切り込み部の如く間隔をもって成り、該片の内、一片に適宜幅で略平坦状部を設け、且つ該片を、このシャフトの長手方向全長に設けられた平坦状面の延長線上に配され、シャフトと一体的に取付けられたことを特徴とする長さ調節自在な杖で、
挿入する方、される方、両方のシャフト下方端部に設けられる略円形を呈するリングは、適宜幅の平坦状面を有し、該面をシャフトの長手方向に設けられた平坦状面の延長線上に配されて、このシャフトと一体的に取付けられて成り、
挿入する方のシャフト先端に備えられる端末プラグを形成する片は、耐摩耗性に優れ、且つ適宜な弾力性を有するとともに、耐寒性をも併せ持つ合成樹脂で成形している。
【考案の効果】
【０００６】  本考案は、挿入する方のシャフトにラチェット係止ピンを有し、備えられた端末プラグは、複数の片で略円状を呈して形成され、この片と片との間は切り込み部の如く間隔をもって前記シャフトと一体的に取付けられるとともに、内、一片に適宜幅で平坦面状部を設け、該片をこのシャフトの長手方向に設けられた平坦状面の延長線上に配され、また、前記ラチェット係止ピンはシャフト長手方向に設けられた平坦状面の上方部に備えられ、更に、複数の片で略円状を呈して形成される端末カバーは、耐摩耗性に優れ、且つ適宜な弾力性を有するとともに、耐寒性をも合わせ持つ合成樹脂で成形したことを特徴とするものであるから、以下の効果を奏する。【０００７】（１）挿入するシャフトの先端に備えられた端末プラグは、挿通されたシャフト内周面に当接する部位が無いので挿抜がスムーズに行え、長さ調節自在な杖として手先の力が弱い歩行補助に使用する人でも気軽に使える。【０００８】（２）挿入するシャフトの上方部に係止ピンを備え、下方部には係止ピン用孔を設け、挿通スライド距離が短く工夫されているので長さ調節が順調に行える。【０００９】（３）シャフト群の中で一番大径の第一シャフトには複数のピン用孔を設け、以下小径となる他のシャフトには極力孔を少なくし、強度の低下を防いでいる。【００１０】（４）シャフトの長手方向全長に設けられた平坦状面に合わせ、表に露出し視認されるシャフトの下方端部に取付けられるリングにも同様な平坦状面を設けてあるため、全長がスッキリした形を呈している。
（５）上方先端には端末プラグを、下端にはリングをシャフトに一体的に設けてあるので、両先端は全周縁をこれらで覆われ、シャフトの取り出し時に端縁で負傷することが無い。
【考案を実施するための最良の形態】
【００１１】  本考案は四つの主要な要素から構成され、第一の要素握部１は、スキーストックの握りのように違和感無く使用者の手にスッキリ収まるとともに、一定の耐寒性・耐衝撃性・耐摩耗性を有する素材で成型され、握って無理なく歩行できるように使用者の手に合わせサイズや形が用意される事が望ましく、後記で説明の第一シャフトの先端に一体的に設けられる。【００１２】  第二の要素シャフト群２は、複数本のシャフトで構成され、各シャフトともアルミニュームパイプ或いはそれに類する軽量で強靭な素材が選択される。これらのシャフトは異径パイプを、その径の大きさ順に遊嵌状態で挿嵌自在に挿入され、ラチェット機構を用いて一定間隔おきに多段階にその長さを調節できるように形成されている。
第一シャフト１１は先端に前記握部１が設けられるとともに、長手方向全長に平坦状面１２を有し、平坦状面４４を有するリング４３を下端に備え、該平坦状面４４を前記平坦状面１２と延長同線上に配している。また、前記平坦状面１２の適宜位置には複数のピン孔１３が穿設されている。【００１３】  符号２１の第二シャフト、次に続く符号３１の第三、符号４１の第四の各シャフトの順に小径を呈し、これらのシャフトを順次挿抜自在に遊嵌し長さを調節するものである。
第二シャフト２１は、長手方向全長に平坦状面２２を有し、下端には平坦状面５４を有するリング５３を一体的に設け、該平坦状面５４を前記平坦状面２２と延長同線上に配している。
また、前記平坦状面２２の下方部位にはピン孔２８が穿設されるとともに、上方部にはシャフト内に装着されたバネの弾発で突出自在とした係止ピン２３を備え、且つ上端には端末プラグＢを設けている。
該端末プラグＢは、複数の片２６で略円状を呈して形成され、片と片との間は切り込み部の如く間隔２５をもって構成され、該片の一片に、適宜幅で略平坦状面２４を設けるとともに、この片を、シャフト２１の平坦状面２２の延長同線上に配されて一体的に取付けられる。【００１４】  第三シャフト、第四シャフトは上記説明の第二シャフトと同様な構成で、長手方向全長に平坦状面を有し、下端には平坦状面を有するリングを一体的に設け、該平坦状面をシャフトの平坦状面と延長同線上に配している。
また、前記シャフト平坦状面の下方部位にはピン孔が穿設されるとともに、上方部位にはシャフト内に装着されたバネの弾発で突出自在とした係止ピンを備え、且つ上端には端末プラグＢを設けている。
該端末プラグＢは複数の片で略円状を呈して形成され、片と片との間は切り込み部の如く間隔をもって構成され、該片の一片に、適宜幅で略平坦状面を設けるとともに、この片を、前記シャフトに設けられた平坦状面の延長同線上に配されて一体的に取付けられる。
しこうして、挿入されるシャフトのピン孔に、挿入するシャフトの係止ピンがバネの弾発で突出自在に嵌合され本考案は長さ調節自在の杖となる。
第三の要素リング３、第四の要素石突き４は、シャフト群最下方シャフトの、下方端部に取付けられる。
【実施例】
【００１５】  図面に示す実施例に基づき本考案を説明すると、図１に示した如く、本考案の長さ調節自在な杖Ａは、握部１、シャフト群２、リング３、石突き４の主要な四つの要素から構成され、握部１は、シャフト群２の第一シャフト１１の先端に一体的に設けられ、無理なく握って歩行できるように使用者に合わせサイズや形が用意される事が望ましく、この部位のサイズや形は後記説明のシャフト群の各シャフトの太さや肉厚とも関連され、使い勝手の良さを決定する重要な要素でもある。【００１６】  本図の使用例では、シャフト群２は上部から符号１１，２１，３１，４１の繋ぎで示され、これら複数の各シャフトの下方部にはリング４３，５３，６３，７３を備えていて、それぞれ異径のパイプであって、上部から順に小径を呈し、順次その径の大きさ順に挿抜自在に遊嵌状態で挿通される。
最上段の第一シャフト１１は長手方向全長に平坦状面１２を有し、且つ適宜所に複数のピン孔１３を備えている。
尚、ここで説明の実施例ではシャフト群２は四本繋ぎで示されているが、二本や三本繋ぎで構成されても何ら差し支えは無く、前記説明の太さや肉厚とも関連せしめ、要は、使用される用途や使用対象者の体重や体格などで、選択できるように配慮されることが望ましい。
符号３のリングは、用途によっては省かれることもしばしばであるが、符号４の石突きは、保護キャップの付帯は選択肢としても、石突きは杖にとって必須の構成要素である。
本実施例は保護キャップ４を使用した状態を図示したものである。【００１７】  図２は、最上段の第一シャフト１１の下方部を詳細に説明するもので、このシャフトを含めシャフト群２を構成する各シャフトは、パイプ状で軽量ながら一定の強度を有し、且つ耐腐食性を高める加工がし易いアルミニュームのような素材が採用される。
ここでシャフト１１は、その長手方向全長に適宜幅の平坦状面１２を有し、この平坦状面の適宜位置に、ピン孔１３を複数個穿設され、下方端にはシャフト端末の切口部を覆い隠すようにリング４３を備えていて、このリングは適宜幅で平坦状面４４を有しており、該平坦状面とシャフト１１の平坦状面とが延長同線上に配され一体的に取付けられる。【００１８】  図３は、第一シャフト１１に挿抜自在に遊嵌状態で挿通する第二シャフト２１を説明する図で、このシャフト２１は、その長手方向全長に適宜幅の平坦状面２２を有し、該面２２の上方には、シャフト内に装着されたバネの弾発で突出自在に係止ピン２３を設けるとともに、上端には端末プラグＢがシャフトと一体的に取付けられていて、この端末プラグＢは、複数の片２６で略円状を呈して形成され、この片と片との間は切り込み部の如く間隔２５をもって形成されていて、シャフト２１に一体的に取付けられる。
ここで、上記複数片の内の一片に適宜幅で略平坦状面２４を設け、該面２４を、シャフト２１に設けられた平坦状面２２の延長同線上に配されている。
一方の下方先端には、シャフト端末の切口部を覆い隠すリング５３を備えていて、このリング５３は適宜幅で平坦状面５４を有しており、シャフト２１の平坦状面２２に合わせ、延長同線上に配されて一体的に取り付けられる。
シャフト群２を形成する以下の第三第四の各シャフトは、ここで説明した第二シャフトと同様な構成であって、相違点は挿抜自在に遊嵌状態で挿通されるために、異径であって順に小径を呈している点である。【００１９】  図４は、本考案で最も詳細に説明を要するシャフト群２を説明するもので、図３の第二シャフト２１に挿抜自在に挿通された第三のシャフト３１、第三シャフト３１に挿抜自在に挿通された第四のシャフト４１を示したものである。
それは、シャフトの上方端部には、端末プラグＢを備えるとともに、同上方部にはシャフ内に装着されたバネの弾発で突出自在の係止ピンを設け、下方部には少なくとも一個のピン孔を穿設し、下方端部にはリングを取り付けた各シャフト２１，３１，４１である。
但し最下方となる第四シャフト４１の下方部にはリング３を、下端部には石突き４が保護キャップを付帯し取り付けられる。
【産業上の利用可能性】
【００２０】  以上説明のように本考案の長さ調節自在な杖は、各シャフトの長手方向全長に平坦状面が設けられ、第一シャフトを除き、挿入される各シャフトはラチェット係止ピンを有し、且つその先端に端末プラグを一体的に備え、この端末プラグは、複数の片で略円状を呈して形成され、この片と片との間は切り込み部の如く間隔をもって成り、内、一片に適宜幅で略平坦状部を設け、該片を、前記シャフトの平坦状面の延長同線上に配されて一体的に設けられたことを特徴とするものであるから、
繋がれるとき、シャフトとシャフトの平坦状面同士が合わせられるので勝手に回転する事が無く、且つ繋ぎ合わせるのが容易である。その上、長さを調節するためシャフトを押したり引いたりする時、シャフト内で当接するものが無いので、従来品に比べすくぶるスムーズに各シャフトは挿抜自在であり、力の弱い人が多い歩行補助杖としても最適である。
もって使い勝手が良好であるばかりでなく、シャフト内周面に当接する部位がない分、従来品に比べ耐久性も向上し、且つ此れと言って製造上問題となる点も無いことから産業上の利用可能性は頗る高い。
【図面の簡単な説明】
【００２１】
【図１】本考案の長さ調節自在な杖の全体を説明する図である。
【図２】本考案を構成するシャフト群の内、最上段のシャフト要部を説明する図である。
【図３】シャフト群の内、第二シャフトを説明する図である。
【図４】本考案要部のシャフト群の、第二シャフトから第四までのシャフトが挿抜自在に遊嵌状態で挿通された係止状態を説明する図である。
【符号の説明】
【００２２】Ａ本考案の長さ調節自在な杖  Ｂ端末プラグ    １握部    ２シャフト群    ３リング
４石突き
１１第一シャフト    １２平坦状面    １３ピン孔    ４３リング    ４４平坦状面
２１第二シャフト    ３１第三シャフト    ４１第四シャフト    ２２平坦状面
２３係止ピン    ２４平坦状面    ２５間隔      ２６片        ５４平坦状面
５３，６３リング
【図１】
0003125011.tif 000003
【図２】
0003125011.tif 000004
【図３】
0003125011.tif 000005
【図４】
0003125011.tif 000006